(57)【要約】【課題】レンジフードなどの現場ごとの微細な寸法調整を正確、迅速、且つ容易に行えると共に、フィルタの取り付け作業の労力および時間を低減できるフィルタ取付枠を提供する。【解決手段】平面視が矩形状で且つ所要の厚みを有する板状のフィルタＦの少なくとも一辺に沿って配置され、且つ該フィルタＦの外側に張り出した延出片４の一方の表面４ａに単数の底広凹溝６を有するフィルタ枠２ａと、該フィルタ枠２ａの表面４ａに対向する表面１１ａに、上記底広凹溝６と嵌合する複数の先広凸条１２を有する嵌合枠１０ａと、を備え、上記フィルタ枠２ａの底広凹溝６と、上記嵌合枠１０ａの先広凸条１２との嵌合により、該嵌合枠１０ａのフィルタ枠２ａに対する嵌合位置をフィルタＦの一辺と直交する方向に沿って複数カ所選択できる、フィルタ取付枠１ａ。【選択図】  図４
2015131269.tif 000002
【特許請求の範囲】
【請求項１】
平面視が矩形状で且つ所要の厚みを有する板状のフィルタの少なくとも一辺に沿って配置され、且つ前記フィルタの外側に張り出した延出片の一方の表面に単数または複数の底広凹溝あるいは先広凸条を有するフィルタ枠と、
上記フィルタ枠の上記表面に対向する表面に、上記底広凹溝または先広凸条と嵌合する単数または複数の先広凸条あるいは底広凹溝を有する嵌合枠と、を備え、
上記フィルタ枠の底広凹溝あるいは先広凸条と、上記嵌合枠の先広凸条あるいは底広凹溝との嵌合により、該嵌合枠の上記フィルタ枠に対する嵌合位置を上記フィルタの一辺と直交する方向に沿って複数カ所選択できる、
ことを特徴とするフィルタ取付枠。
【請求項２】
前記フィルタ枠は、前記延出片の前記表面における外端側に単数の底広凹溝を有し、前記嵌合枠は、前記表面に互いに平行な複数の先広凸条を突設している、
ことを特徴とする請求項１に記載のフィルタ取付枠。
【請求項３】
前記嵌合枠は、前記表面と反対の裏面側に、前記表面と直交する厚み方向に沿った厚みを変更するための厚み調整枠が取り付け可能であり、
上記嵌合枠は、その表面を挟んだ内外一対の側面ごとに凹部あるいは凸部を対称に有し、前記厚み調整枠は、上記裏面に隣接して対向する表面における内外方向の両端に、上記凹部に進入する一対の凸部あるいは上記一対の凸部を受け入れる凹部を有していると共に、上記表面における内外の両端には、前記フィルタの厚み方向に沿って延びた長さの異なる一対の脚片を個別に有している、
ことを特徴とする請求項１または２に記載のフィルタ取付枠。
【請求項４】
前記嵌合枠は、前記表面に複数の先広凸条または底広凹溝を有し、前記表面と反対の裏面側の両端に、前記表面と直交する前記フィルタの厚み方向に沿って互いに長さが異なる一対の脚片を一体に有している、
ことを特徴とする請求項１に記載のフィルタ取付枠。
【請求項５】
前記嵌合枠の外側の辺、あるいは該嵌合枠および該嵌合枠に取り付けられた厚み調整枠の外側の辺は、通風路の路壁面に固定される固定枠により、該通風路の路壁面に支持される、
ことを特徴とする請求項１乃至５の何れか一項に記載のフィルタ取付枠。
【請求項６】
平面視が矩形状で且つ所要の厚みを有する板状のフィルタの少なくとも一辺に沿って配置され、且つ前記フィルタの外側に張り出した延出片の一方の表面に単数または複数の底広凹溝あるいは先広凸条を有するフィルタ枠と、
上記フィルタ枠の上記表面に対向する表面に、上記底広凹溝または先広凸条と嵌合する単数または複数の先広凸条あるいは底広凹溝を有し、且つ通風路の路壁面に固定される固定枠と、を備え、
上記フィルタ枠の底広凹溝あるいは先広凸条と、上記固定枠の先広凸条あるいは底広凹溝との嵌合により、該固定枠の上記フィルタ枠に対する嵌合位置を上記フィルタの一辺と直交する内外方向に沿って複数カ所選択できる、
ことを特徴とするフィルタ取付枠。
【請求項７】
前記フィルタ枠は、前記延出片の前記表面における外端側に単数の底広凹溝を有し、前記固定枠は、前記表面に互いに平行な複数の先広凸条を突設している、
ことを特徴とする請求項６に記載のフィルタ取付枠。
【発明の詳細な説明】
【技術分野】
【０００１】
本発明は、例えば、レンジフード用のフィルタを所要の位置に取り付けるためのフィルタ取付枠に関する。
【背景技術】
【０００２】
レンジフードの内部に取り付けられた換気扇や排気用ダクトの汚れを防ぐため、上記レンジフードにおける排気の入口側には、該レンジフード用のフィルタが取り付けられている。一般に、レンジフードは、該フードの専門メーカーや該フードを備えたシステムキッチンのメーカーにより、各部分の寸法が相違している。
上記寸法の相違に対応するため、全体が長方形状のフィルタにおいて対向する一対の辺ごとに、断面ほぼｈ字形状を呈する枠辺部を取り付け、かかる枠辺部  ごとの上記フィルタと反対側の外側に、該枠辺部の係合用突起に係合する係合部を上記フィルタ側に有し且つ該フィルタと反対側に上記同様の係合用突起を備えた所望数（任意数）の補助片を、順次係合するようにしたレンジフードフィルタ用アタッチメントが提案されている（例えば、特許文献１参照）。
【０００３】
しかし、前記レンジフードフィルタ用アタッチメントによる場合には、取り付けるべきフィルタの外側に、前記補助片の幅寸法と同じであるか、該幅寸法の整数倍に限った範囲での寸法調整でしか対応できず、微細で且つ正確な寸法調整には不向きである、という問題点があった。しかも、レンジフードごとの現場では、所要数の補助片を順次係合する作業が必要となるので、フィルタの取り付け作業に多くの労力と時間を要する、という問題点もあった。
【先行技術文献】
【特許文献】
【０００４】
【特許文献１】特許第３５２３３６６号公報（第１〜７頁、図１〜８）
【発明の概要】
【発明が解決しようとする課題】
【０００５】
本発明は、背景技術で説明した問題点を解決し、例えば、レンジフードの現場ごとの微細な寸法調整を正確且つ容易に行えると共に、フィルタの取り付け作業の労力および時間を低減できるフィルタ取付枠を提供する、ことを課題とする。
【課題を解決するための手段および発明の効果】
【０００６】
本発明は、前記課題を解決するため、取り次けるべきフィルタの少なくとも一辺に配置するフィルタ枠と、該フィルタ枠に対向する嵌合枠あるいは固定枠とに、互いに嵌合し合う単数または複数の底広凹溝および先広凸条を形成する、ことに着想して成されたものである。
即ち、本発明による第１のフィルタ取付枠（請求項１）は、平面視が矩形状で且つ所要の厚みを有する板状のフィルタの少なくとも一辺に沿って配置され、且つ前記フィルタの外側に張り出した延出片の一方の表面に単数または複数の底広凹溝あるいは先広凸条を有するフィルタ枠と、該フィルタ枠の上記表面に対向する表面に、上記底広凹溝または先広凸条と嵌合する単数または複数の先広凸条あるいは底広凹溝を有する嵌合枠と、を備え、上記フィルタ枠の底広凹溝あるいは先広凸条と、上記嵌合枠の先広凸条あるいは底広凹溝との嵌合により、該嵌合枠の上記フィルタ枠に対する嵌合位置を上記フィルタの一辺と直交する方向に沿って複数カ所選択できる、ことを特徴とする。
【０００７】
これによれば、前記フィルタ枠の延出片が有する単数または複数の底広凹溝あるいは先広凸条と、前記嵌合枠が有する単数または複数の先広凸条あるいは底広凹溝とが個別に嵌合する位置を選択することにより、隣接する底広凹溝同士間あるいは先広凸条同士間のピッチや該ピッチの整数倍の寸法に応じて、該嵌合枠の上記フィルタ枠に対する嵌合位置を上記フィルタの一辺と直交する方向に沿って複数カ所選択することができる。従って、例えば、レンジフードなどの現場ごとの微細な寸法調整を、比較的少ない構成部材数によって、正確で、迅速且つ容易に行えると共に、前記フィルタの取り付け作業の労力および時間を低減することも可能となる。
【０００８】
尚、前記フィルタ枠および嵌合枠は、例えば、アルミニウム合金の押出形材、あるいは耐熱性樹脂からなる射出成形材または押出成形材からなる。
また、前記底広凹溝は、断面が台形状、半台形状、ほぼ逆Ｔ字形状、あるいは逆Ω形状などを呈し、開口部の幅よりも奥側の幅が大きい形態のものである。
更に、前記先広凸条は、断面が逆台形状、半逆台形状、ほぼＴ字形状、あるいはΩ形状などを呈し、基部の幅よりも先端部の幅が大きい形態のものである。
また、前記底広凹溝および先広凸条は、前記フィルタ枠および嵌合枠の同じ表面に複数個ずつが互いに隣接して交互に配置された形態としても良い。
更に、前記フィルタ枠および嵌合枠は、平面視が矩形（長方形または正方形）状のフィルタにおいて、対向する一対の辺の何れかのみに配設して、該一対の辺と直交する方向の寸法を調整する形態のほか、更に、残りの一対の辺にも配設して、直交する縦横の２方向の寸法を調整する形態にも活用される。
加えて、本発明のフィルタ取付枠は、レンジフードの通風路に限らず、強制的な換気や空調設備などの通風路に適用することも可能である。
【０００９】
また、本発明には、前記フィルタ枠は、前記延出片の前記表面における外端側に単数の底広凹溝を有し、前記嵌合枠は、前記表面に互いに平行な複数の先広凸条を突設している、第１のフィルタ取付枠（請求項２）も含まれる。
これによれば、上記フィルタ枠の延出片の外端側に有する単数の底広凹溝に対し、上記嵌合枠の表面に互いに平行に突設された複数の先広凸条の何れかを選択して嵌合することにより、互いに隣接し合う先広凸条同士間のピッチや該ピッチの整数倍の寸法ごとに応じて、該嵌合枠の上記フィルタ枠に対する嵌合位置を、前記フィルタの一辺と直交する方向に沿って複数カ所容易に選択できる。
【００１０】
更に、本発明には、前記嵌合枠は、前記表面と反対の裏面側に、前記表面と直交する厚み方向に沿った厚みを変更するための厚み調整枠が取り付け可能であり、上記嵌合枠は、その裏面を挟んだ内外一対の側面ごとに凹部あるいは凸部を対称に有し、前記厚み調整枠は、上記裏面に隣接して対向する表面における内外方向の両端に、上記凹部に進入する一対の凸部あるいは上記一対の凸部を受け入れる凹部を有していると共に、上記表面における内外の両端には、前記フィルタの厚み方向に沿って延びた長さの異なる一対の脚片を個別に有している、第１のフィルタ取付枠（請求項３）も含まれる。
これによれば、前記嵌合枠の内外一対の側面ごとに設けた凹部あるいは凸部と、前記厚み調整枠に設けた一対の凸部あるいは凹部とを嵌合して、上記嵌合枠に前記フィルタの厚み方向に沿って延びた長さの異なる一対の脚片を個別に有する上記厚み調整枠が取り付けられる。従って、嵌合枠の外側における前記フィルタの厚み方向に沿った寸法を、後述する固定枠ごとにおける縦片の高さ（厚み）の寸法に容易に整合することが可能となる。
尚、前記厚み調整枠も、アルミニウム合金の押出形材、あるいは耐熱性樹脂からなる射出成形材または押出成形材からなる。
また、前記厚み調整枠も、前記フィルタにおける対向する一対の辺の何れかのみに配設し、該一対の辺と直交する方向の寸法を調整する形態の他、残りの一対の辺にも配設して、直交する縦横の２方向の寸法を調整する形態にも活用される。
【００１１】
また、本発明には、前記嵌合枠は、前記表面に複数の先広凸条または底広凹溝を有し、前記表面と反対の裏面側の両端に、前記表面と直交する前記フィルタの厚み方向に沿って互いに長さが異なる一対の脚片を一体に有している、第１のフィルタ取付枠（請求項４）も含まれる。
これによれば、前記同様にしてフィルタ枠に嵌合枠を取り付ける際に、該嵌合枠の断面を前記フィルタの内外方向において、長短何れかの脚片が外側となるように選択することにより、後述する固定枠ごとにおける縦片の寸法に対し、微細で、一層容易且つ迅速に整合することが可能となる。
尚、前記嵌合枠の表面に設けられる複数の先広凸条または底広凹溝は、該表面の内外方向において左右対称となる位置ごとに配設される。
【００１２】
加えて、本発明には、前記嵌合枠の外側の辺、あるいは該嵌合枠および該嵌合枠に取り付けられた厚み調整枠の外側の辺は、通風路の路壁面に固定される固定枠により、該通風路の路壁面に支持される、第１のフィルタ取付枠（請求項５）も含まれる。
これによれば、前記フィルタを、その少なくとも一辺に配置した前記フィルタ枠および嵌合枠、更には厚み調整枠を介して、上記一辺と直交する寸法を取り付けるべき通風路の路壁面に固定した固定枠に支持させられる。従って、現場ごとの微細な寸法調整を、比較的少ない構成部材数によって、正確で、迅速且つ容易に行えると共に、前記フィルタの取り付け作業の労力および時間を低減できる。
尚、前記固定枠も、アルミニウム合金の押出形材、あるいは耐熱性樹脂からなる射出成形材または押出成形材からなり、例えば、ほぼ断面Ｚ形状を呈する。
【００１３】
一方、本発明による第２のフィルタ取付枠（請求項６）は、平面視が矩形状で且つ所要の厚みを有する板状のフィルタの少なくとも一辺に沿って配置され、且つ前記フィルタの外側に張り出した延出片の一方の表面に単数または複数の底広凹溝あるいは先広凸条を有するフィルタ枠と、該フィルタ枠の上記表面に対向する表面に、上記底広凹溝または先広凸条と嵌合する単数または複数の先広凸条あるいは底広凹溝を有し、且つ通風路の路壁面に固定される固定枠と、を備え、 上記フィルタ枠の底広凹溝あるいは先広凸条と、上記固定枠の先広凸条あるいは底広凹溝との嵌合により、該固定枠の上記フィルタ枠に対する嵌合位置を上記フィルタの一辺と直交する内外方向に沿って複数カ所選択できる、ことを特徴とする。
これによれば、前記フィルタ枠の延出片が有する単数または複数の底広凹溝あるいは先広凸条と、前記固定枠が有する単数または複数の先広凸条あるいは底広凹溝と、を個別に嵌合する位置を選択することで、隣接する底広凹溝同士間または先広凸条同士間のピッチや該ピッチの整数倍の寸法に応じて、該固定枠のフィルタ枠に対する嵌合位置を上記フィルタの一辺と直交する方向に沿って複数カ所選択することができる。従って、レンジフードなどの現場ごとの微細な寸法調整を２種類だけの構成部材数により、微細で、迅速且つ容易に行えると共に、上記フィルタの取り付け作業の労力および時間を一層低減することが可能となる。
【００１４】
また、本発明には、前記フィルタ枠は、前記延出片の前記表面における外端側に単数の底広凹溝を有し、前記固定枠は、前記表面に互いに平行な複数の先広凸条を突設している、第２のフィルタ取付枠（請求項７）も含まれる。
これによれば、上記フィルタ枠の延出片の外端側に有する単数の底広凹溝に対し、上記固定枠の表面に互いに平行に突設された複数の先広凸条の何れかを選択して嵌合することにより、互いに隣接し合う先広凸条のピッチや該ピッチの整数倍の寸法ごとに応じて、該固定枠の上記フィルタ枠に対する嵌合位置を、前記フィルタの一辺と直交する方向に沿って複数カ所容易に選択できる。
【図面の簡単な説明】
【００１５】
【図１】第１のフィルタ取付枠の一形態およびフィルタを示す分解斜視図。
【図２】上記フィルタの一辺に沿った上記フィルタ取付枠を示す断面図。
【図３】（Ａ），（Ｂ），（Ｃ）は上記フィルタ取付枠を構成するフィルタ枠、嵌合枠、および厚み調整枠を示す断面図。
【図４】上記フィルタ取付枠の作用を例示する断面図。
【図５】異なる形態のフィルタ取付枠を示す図２と同様な断面図。
【図６】（Ａ），（Ｂ）は上記フィルタ取付枠を構成するフィルタ枠と、嵌合枠を示す断面図。
【図７】上記異なる形態のフィルタ取付枠の作用を例示する断面図。
【図８】（Ａ），（Ｂ）は更に異なる形態の嵌合枠と、該嵌合枠を含む更に異なる形態のフィルタ取付枠を示す断面図。
【図９】上記更に異なる形態のフィルタ取付枠の作用を例示する断面図。
【図１０】（Ａ），（Ｂ）は前記一形態のフィルタ取付枠の応用形態を示す断面図。
【図１１】（Ａ），（Ｂ）は前記更に異なる形態のフィルタ取付枠の応用形態を示す断面図。
【図１２】第２のフィルタ取付枠を構成する一形態の固定枠を示す断面図。
【図１３】（Ａ），（Ｂ）は上記固定枠を含む第２のフィルタ取付枠の断面図と、その作用を例示する断面図。
【図１４】第２のフィルタ取付枠を構成する異なる形態の固定枠を示す断面図。
【図１５】（Ａ），（Ｂ）は異なる形態第２のフィルタ取付枠と、その作用を例示する断面図。
【発明を実施するための形態】
【００１６】
以下において、本発明を実施するための形態について説明する。
図１は、一形態の第１のフィルタ取付枠１ａおよび該取付枠１ａが適用されるフィルタＦを示す分解斜視図である。尚、本明細書において、内（端）側および外（端）側とは、上記フィルタＦの中央部と四辺とに沿った方向の呼称である。
図１に示すように、上記フィルタＦは、周知の合成樹脂（例えば、ポリフェニレン系樹脂）または天然樹脂（例えば、セルロース）からなる多数の繊維を、不織布と同様にランダムに積層して平面視が矩形（長方形）状で且つ所要の厚みを有する板状体である。該フィルタＦにおいて、左右で対向する一対の長辺は、断面がコ字形状の外枠６０の凹部６２に挟持され、上下で対向する一対の短辺には、第１のフィルタ取付枠１ａがそれぞれ配置される。
上記フィルタ取付枠１ａは、図２に示すように、上記フィルタＦの短辺ごとに配置されるフィルタ枠２ａと、該フィルタ枠２ａの下側に連結される嵌合枠１０ａと、該嵌合枠１０ａの下側に取り付けられる厚み調整枠２０と、これらを外側から支持してレンジフードの通風路（図示せず）の路壁面６４に固定する固定枠４０ａとから構成されている。
【００１７】
前記フィルタ枠２ａは、図３（Ａ）に示すように、前記フィルタＦの上面に面接触する基板３と、該基板３から該フィルタＦの外側に水平に張り出した延出片４と、該延出片４における一方の表面（裏面）４ａの外端側に配置された単数の底広凹溝６と、上記基板３および延出片４の間から垂下した縦片９と、該縦片９の下端から内側に延び且つ基板３と平行で且つ上記フィルタＦの下面に面接触する支持片８とを、図示の奥行き方向の全長に沿って備えている。上記底広凹溝６は、断面が逆半台形状を呈し、外端側の凸条５と断面が半台形状の凸条７との間に位置している。また、上記基板３、縦片９、および支持片８に囲まれた凹部３ａには、上記フィルタＦの短辺側が挿入される。
【００１８】
また、前記嵌合枠１０ａは、図３（Ｂ）に示すように、前記フィルタ枠２ａの表面４ａに対向する表面１１ａを有する基板１１と、該表面１１ａに互いに平行に突設された３個（複数）の先広凸条１２と、上記基板１１の外端側に立設する凸片１３と、上記表面１１ａを挟んだ内外一対の両側面ごとに位置する凹部１４，１５とを、図示の奥行き方向の全長に沿って備えている。
上記先広凸条１２は、断面が逆半台形状を呈し、追って前記フィルタ枠２ａの底広凹溝６と嵌合する。また、上記凸片１３は、該嵌合の一態様において、フィルタ枠２ａにおける外端の凸条５に隣接するものである。
【００１９】
更に、前記厚み調整枠２０は、図３（Ｃ）に示すように、前記嵌合枠１０ａの基板１１の表面１１ａと反対側の裏面に隣接する基板２１と、該基板２１の表面２１ａにおける内外の両端部に対称に突設した一対の凸部２２と、これらに囲まれた浅くて幅広の凹溝２３と、上記基板２１の内外の両端から上記表面１１ａに直交し且つ前記フィルタＦの厚み方向に沿って垂下した長さの異なる一対の脚片２５，２７と、これらの下端から横向きで且つ該調整枠２０の中央側に対称に延びた一対の水平片２４，２６とを、図示の奥行き方向の全長に沿って備えている。
上記一対の凸部２２は、追って前記嵌合枠１０ａの凹部１４，１５内に個別に進入して、当該厚み調整枠２０を、上記嵌合枠１０ａの基板１１の裏面（下）側に取り付けるためのものである。
尚、前記図２の左側に示すように、前記フィルタ枠２ａ、嵌合枠１０ａ、および厚み調整枠２０の外側には、これらを支持する水平片４１、縦片４２ａ、および固定片４３からなる断面がほぼＺ字形状を呈する固定枠４０ａが配設される。上記固定片４３には、釘またはネジが貫通する貫通孔４４が穿孔されている。
また、前記フィルタ枠２ａ、嵌合枠１０ａ、厚み調整枠２０、および固定枠４０ａは、アルミニウム合金（例えば、ＪＩＳ：Ａ６０６３−Ｔ５）の押出形材、あるいは、耐熱性を有する合成樹脂の射出成形材ないし押出成形材からなる。
【００２０】
以上のようなフィルタ取付枠１ａでは、前記図２において、前記フィルタ枠２ａの底広凹溝６に、嵌合枠１０ａにおける外端側の先広凸条１２が嵌合して、両者を連結することで、前記フィルタＦと固定枠４０ａとの距離を最短としている。
ところで、例えば、レンジフードの現場において前記フィルタＦの長辺方向に沿った寸法を若干延ばすような寸法調整が必要となる場合がある。
かかる場合には、例えば、図４に示すように、前記フィルタ枠２ａの底広凹溝６に、嵌合枠１０ａにおける中央部の先広凸条１２を嵌合させるか、あるいは内端の先広凸条１２を嵌合して、両者を連結することにより、前記寸法調整を微細で、迅速且つ容易に行うことが可能となる。しかも、上記寸法調整は、前記フィルタ枠２ａと嵌合枠１０ａとの２部材のみによって正確に行うことができる。
更に、前記のような第１のフィルタ取付枠１ａでは、図４に示すように、前記固定枠４０ａの縦片４２ａよりも長い縦片４２ｂを含む固定枠４０ｂを用いる場合には、前記厚み調整枠２０を内外方向で逆向きに配置して、嵌合枠１０ａの基板１１の裏面側に取り付けることにより、容易に対応することも可能である。
【００２１】
図５は、異なる形態の第１のフィルタ取付枠１ｂを示す断面図である。
かかるフィルタ取付枠１ｂは、図５に示すように、前記フィルタＦの短辺ごとに配置されるフィルタ枠２ｂと、該フィルタ枠２ｂに連結する嵌合枠１０ｂと、該嵌合枠１０ｂの下側に取り付けられる厚み調整枠２０と、これらを外側から支持する前記同様の固定枠４０ａとから構成されている。尚、固定枠４０ａは、厚み調整枠２０を内外逆向きに配置して、前記固定枠４０ｂに取り替えても良い。
上記嵌合枠１０ｂは、図６（Ａ）に示すように、平坦な基板１１の表面１１ａに、複数の底広凹溝１６と複数の先広凸条１８とを交互に配置し、且つ上記表面１１ａの裏面側の両端には、斜め下向きに突出した一対の凸部１９が左右対称に形成されている。また、上記底広凹溝１６と先広凸条１８とは、断面が互いに相似形の台形あるいは逆台形である。尚、図６（Ａ）の左側には、左側の上記凸部１９と外端側の底広凹溝１６とに挟まれた凸片１７が位置している。
【００２２】
更に、前記フィルタ枠２ｂは、図６（Ｂ）に示すように、前記同様の基板３、延出片４、支持片８、および縦片９を有すると共に、前記嵌合枠１０ｂの表面１１ａに対向する上記延出片４の表面４ａには、前記先広凸条１８と個別に嵌合する複数の底広凹溝６ｂと、前記底広凹溝１６と個別に嵌合する複数の先広凸条７ｂとが交互に且つ連続して配置されている。尚、前記嵌合枠１０ｂや上記フィルタ枠２ｂも、前記同様の押出形材あるいは射出成形材からなる。
以上のようなフィルタ取付枠１ｂは、前記図５においては、フィルタ枠２ｂの全ての底広凹溝６ｂと、嵌合枠１０ｂの全ての先広凸条１８とが個別に嵌合し、且つフィルタ枠２ｂの各先広凸条７ｂと、嵌合枠１０ｂの全底広凹溝１６とが個別に嵌合して、両者を連結することにより、前記フィルタＦと固定枠４０ａとの距離を最短としている。
【００２３】
ところで、前記と同様に、上記フィルタＦの長辺方向に沿った寸法を若干延ばすような寸法調整が必要となる場合がある。
かかる場合、前記のようなフィルタ取付枠１ｂによれば、例えば、図７に示すように、フィルタ枠２ｂにおける外側の２個の底広凹溝６ｂと、嵌合枠１０ｂにおける内側の２個の先広凸条１８とを個別に嵌合し、且つフィルタ枠２ｂにおける外側の２個の先広凸条７ｂと、嵌合枠１０ｂにおける内側の２個の底広凹溝１６とを個別に嵌合して、両者を連結する。その結果、前記フィルタＦと固定枠４０ａとの距離を若干延ばす前記寸法調整を、微細で、迅速且つ容易に行える。
尚、上記寸法調整は、少なくとも１個ずつの底広凹溝６ｂと先広凸条１８とを嵌合し、且つ１個ずつの先広凸条７ｂと底広凹溝１６とを嵌合して連結することで、前記フィルタＦと固定枠４０ａ（ｂ）との距離を、前記フィルタ枠２ｂと嵌合枠１０ｂのみにより、最長距離にして正確且つ迅速に調整することができる。
【００２４】
図８（Ａ）は、異なる形態の嵌合枠３０ａを示す断面図、図８（Ｂ）は、該嵌合枠３０ａを含む更に異なる形態の第１のフィルタ取付枠１ｃを示す断面図である。
上記嵌合枠３０ａは、図８（Ａ）に示すように、平坦な基板２１の表面に複数の底広凹溝１６と複数の先広凸条１８とを交互に連続して配置し、上記基板２１の両端から長さの異なる一対の脚片２５，２７を垂下し、これらの下端に前記同様の水平片２４，２６を配設したものである。即ち、上記嵌合枠３０ａは、前記嵌合枠１０ｂと、厚み調整枠２０との両者の機能を併有させたものであり、前記同様の押出形材あるいは射出成形材からなる。
上記フィルタ取付枠１ｃは、図８（Ｂ）に示すように、上記嵌合枠３０ａと前記フィルタ枠２ｂと固定枠４０ａとから構成される。即ち、フィルタＦの短辺に沿って配置された前記同様のフィルタ枠２ｂにおける複数の底広凹溝６ｂと、嵌合枠３０ａにおける複数の先広凸条１８とを個別に嵌合し、且つフィルタ枠２ｂにおける複数の先広凸条７ｂと、嵌合枠３０ａにおける複数の先広凸条１８とを個別に嵌合して、フィルタ枠２ｂと嵌合枠３０ａとを連結することにより、フィルタ枠２ｂの下側に厚み調整機能を有する嵌合枠３０ａが配置される。
【００２５】
更に、図８（Ｂ）に示すように、上記フィルタＦや、フィルタ取付枠１ｃを構成するフィルタ枠２ｂおよび嵌合枠３０ａは、固定枠４０ａによって支持され、フィルタＦと固定枠４０ａとの間は、最短距離とされている。
一方、前記フィルタ取付枠１ｃにおいて、前記と同様な寸法調整が必要な場合には、例えば、図９に示すように、フィルタ枠２ｂにおける外側の２個の底広凹溝６ｂと、嵌合枠３０ａにおける内側の２個の先広凸条１８とを個別に嵌合し、且つフィルタ枠２ｂにおける外側の３個の先広凸条７ｂと、嵌合枠３０ａにおける内側の３個の底広凹溝１６とを個別に嵌合して、両者を連結する。これによって、前記フィルタＦと固定枠４０ｂとの距離を若干延ばす前記寸法調整を、微細で、迅速且つ容易に行うことができる。
更に、前記嵌合枠３０ａは、断面が互いに相似形である複数の底広凹溝１６と複数の先広凸条１８とが交互に形成されている、即ち、内外方向で左右対称である。そのため、図９に示すように、嵌合枠３０ａを内外逆向きとし、且つ長い脚片２５を外側に位置させることで、固定枠４０ｂに支持させることもできる。
【００２６】
図１０（Ａ）は、前記フィルタ取付枠１ａの応用形態であるフィルタ取付枠１ａ´を示す断面図であり、該フィルタ取付枠１ａ´は、図示のように、フィルタ枠２ｃと、嵌合枠１０ｃと、厚み調整枠２０と、固定枠４０ａとから構成されている。
上記フィルタ枠２ｃは、前記同様の延出片４の表面４ａにおける外端側と中央部とに、断面が逆台形状である一対の底広凹溝６ａを有し、これらを形成するため、それらの両側には、凸部５ａ，７または一対の凸部７，７が突設されている。
また、上記嵌合枠１０ｃは、図１０（Ａ）に示すように、前記同様の基板１１の表面に断面が逆台形状である３個の先広凸条１２ａを等間隔で突設し、上記基板１１の両端には、一対の凹部１５が形成されている。尚、上記基板１１の表面の左端には、左側の上記凹部１５を形成するための凸部１３ａが突設されている。
尚、上記フィルタ枠２ｃや嵌合枠１０ｃも、前期同様の押出形材などからなる。
【００２７】
図１０（Ａ）に示すように、フィルタＦの短辺に配置されたフィルタ枠２ｃにおける外端側および中央部の一対の底広凹溝６ａと、嵌合枠１０ｃにおける外端側および中央部の一対の先広凸条１２ａとを嵌合して、フィルタ枠２ｃの下側に嵌合枠１０ｃを連結する。更に、該嵌合枠１０ｃの各凹部１５に、内外両端の凸部２２を嵌合して、嵌合枠１０ｃの下側に厚み調整枠２０を連結した後、該厚み調整枠２０の短い脚片２７を固定枠４０ａの水平片４１に支持することで、フィルタＦと固定枠４０ａとの距離を最短としたフィルタ取付枠１ａ´が構成される。
また、前記同様に、フイルタＦと固定枠４０ａとの間の距離を拡げる寸法調整を行うには、例えば、図１０（Ｂ）に示すように、フィルタ枠２ｃにおける一対の底広凹溝６ａと、嵌合枠１０ｃにおける中央部および内端側の一対の先広凸条１２ａとを嵌合することで可能となる。
【００２８】
更に、前記距離を拡げたい場合には、フィルタ枠２ｃにおける外端側の１個の底広凹溝６ａと、嵌合枠１０ｃにおける内端側の１個の先広凸条１２ａとだけを嵌合することにより可能となる。
しかも、図１０（Ｂ）に示すように、前記嵌合枠１０ｃに対して、厚み調整枠２０を内外逆向きに連結することにより、該調整枠２０の長い脚片２５を、固定枠４０ｂに支持させることもできる。
以上のようなフィルタ取付枠１ａ´によっても、前記フィルタ取付枠１ａと同様な効果を奏することが可能である。
【００２９】
図１１（Ａ）は、前記フィルタ取付枠１ｃの応用形態であるフィルタ取付枠１ｃ´を示す断面図であり、該フィルタ取付枠１ｃ´は、図示のように、前記フィルタ枠２ｃと、嵌合枠３０ｂと、前記固定枠４０ａ（４０ｂ）とから構成されている。
上記嵌合枠３０ｂは、図１１（Ａ）に示すように、前記同様の基板２１や内外一対の脚片２５，２７を備え、該基板２１の表面における内外方向の中央部に断面が逆台形状の先広凸条１８を突設すると共に、上記基板２１の表面における内外方向の両端側に断面が逆半台形状の先広凸条１８ａを左右対称に突設している。尚、上記嵌合枠３０ｂも、前記同様の押出形材または射出成形材などからなる。
【００３０】
図１１（Ａ）に示すように、フィルタＦの短辺に配置されたフィルタ枠２ｃにおける外端側および中央部の一対の底広凹溝６ａと、嵌合枠３０ｂにおける外端側および中央部の一対の先広凸条１８ａ，１８とを個別に嵌合して、フィルタ枠２ｃの下側に嵌合枠３０ｂを連結する。更に、該嵌合枠３０ｂの短い脚片２７を固定枠４０ａの水平片４１上に支持することで、フィルタＦと固定枠４０ａとの距離を最短としたフィルタ取付枠１ｃ´が構成される。
また、前記同様に、フィルタＦと固定枠４０ａとの間の距離を拡げる寸法調整を行うには、例えば、図１１（Ｂ）に示すように、フィルタ枠２ｃにおける一対の底広凹溝６ａと、嵌合枠３０ｂにおける中央部および内端側の一対の先広凸条１８，１８ａとを個別に嵌合することによって可能となる。
【００３１】
更に、前記距離を拡げたい場合には、フィルタ枠２ｃにおける外端側の１個の底広凹溝６ａと、嵌合枠３０ｂにおける内端側の１個の先広凸条１８ａとだけを嵌合することにより可能となる。
しかも、図１１（Ｂ）に示すように、前記フィルタ枠２ｃに対し、嵌合枠３０ｂを内外逆向きに連結することにより、該嵌合枠３０ｂの長い脚片２５を、固定枠４０ｂに支持させることもできる。
以上のようなフィルタ取付枠１ｃ´によっても、前記フィルタ取付枠１ｃと同様な効果を奏することが可能である。
尚、前記嵌合枠３０ｂの基板２１における中央部の先広凸条１８は、左右の何れか向きの先広凸条１８ａにしても良い。
【００３２】
図１２は、第２のフィルタ取付枠１ｄに用いる固定枠５０ａの断面図である。
上記固定枠５０ａは、前記同様の押出形材または射出成形材からなり、図１２に示すように、平坦な基板５１と、該基板５１の表面５１ａに等間隔で突設された互いに平行で且つ断面が逆半台形状である複数の先広凸条５２と、斜めの接続部５３を介して接続された貫通孔５４を有する固定片５５とを、図示の前後方向の全長に沿って有している。
図１３（Ａ）は、上記固定枠５０ａとフィルタ枠２ａとからなる一形態の第２のフィルタ取付枠１ｄを示す断面図である。前記と同様に、フィルタ取付枠１ｄは、フイルタＦの短辺に配置したフィルタ枠２ａの底広凹溝６に、固定枠５０ａにおける外端側の先広凸条５２を嵌合して、フィルタ枠２ａの外側に固定枠５０ａを連結することで、フィルタＦと固定枠５０ａとを最短距離で接続している。
【００３３】
前記と同様に、前記フィルタ取付枠１ｄにおいて、フィルタＦと固定枠５０ａとの距離を調整する場合には、例えば、図１３（Ｂ）に示すように、フィルタ枠２ａの底広凹溝６と、固定枠５０ａにおいて内外方向の中央部に位置する先広凸条５２とを嵌合して、両者を連結することで、フィルタＦと固定枠５０ａとの距離を微細で、正確、迅速且つ容易に拡げる（調整する）ことが可能となる。
【００３４】
図１４は、異なる形態の固定枠５０ｂを示す断面図である。
上記固定枠５０ｂは、図１４に示すように、平坦な基板５１と、その表面５１ａに交互に連続して配置され且つ断面が台形状である複数の底広凹溝５６および断面が逆台形状である複数の先広凸条５８と、上記基板５１と厚肉の接続部５７を介して連結された前記同様の固定片５５とを、図示の前後方向の全長に沿って有している。かかる固定枠５０ｂも、前記同様の押出形材または射出成形材などからなる。
図１５（Ａ）は、上記固定枠５０ｂとフィルタ枠２ｂとからなる形態の第２のフィルタ取付枠１ｅを示す断面図である。前記と同様に、フィルタ取付枠１ｅは、フィルタＦの短辺に配置したフィルタ枠２ｂにおける複数の底広凹溝６と、固定枠５０ｂにおける複数の先広凸条５８を個別に嵌合して、フィルタ枠２ａの外側に固定枠５０ｂを連結することにより、フィルタＦと固定枠５０ｂとを最短距離で接続している。
【００３５】
前記と同様に、前記フィルタ取付枠１ｅにおいて、フィルタＦと固定枠５０ｂとの距離を調整する場合には、例えば、図１５（Ｂ）に示すように、フィルタ枠２ｂにおける外側の２個の底広凹溝６ｂと、固定枠５０ｂの内側に位置する２個の先広凸条５８とを個別に嵌合して、両者を連結することにより、フィルタＦと固定枠５０ｂとの距離を正確且つ迅速に拡げる（調整する）ことが可能となる。
尚、前記フィルタ取付枠１ｅにおいて、フィルタ枠２ｂにおける最外側の底広凹溝６ｂと、固定枠５０ｂにおける最内側の先広凸条５８とを嵌合して、フィルタ枠２ｂと固定枠５０ｂとを連結することで、フィルタＦと固定枠５０ｂとの距離が最大となるように微細で、正確、迅速且つ容易に拡げる（調整する）ことができる。
【００３６】
以上のような第２のフィルタ取付枠１ｄ，１ｅによれば、例えば、レンジフードなどの現場ごとの微細な寸法調整を、フィルタ枠２ａ，２ｂと固定枠５０ａ，５０ｂとの２種類だけの構成部材数により、微細で、正確、迅速且つ容易に行え、上記フィルタＦの取り付け作業の労力および時間を一層低減することが可能となる。
【００３７】
本発明は、以上において説明した各形態に限定されるものではない。
例えば、前記底広凹溝は、断面がほぼΩ形状や逆Ｔ字形状を呈しても良い。
また、前記先広凸条は、断面がほぼ逆Ω形状やＴ字形状を呈しても良い。
更に、前記嵌合枠における基板は、その表面に２個または１個の先広凸条のみを突設した形態や、２個または１個の先広凸条と、これらと交互に位置する２個または３個の底広凹溝を形成した形態としても良い。
また、前記フィルタ枠２ａ〜２ｃは、前記基板３と支持片８とに挟まれた縦片９の丈（高さ）を、配置すべきフィルタＦの厚みに応じて変更することで、厚み方向の寸法も複数の種類を用意するようにしても良い。
更に、前記フィルタＦは、平面視がほぼ正方形であっても良く、あるいは、平面視が長方形状または正方形状で且つ側面視で上向きに凸のカーブした湾曲形状を呈する形態であっても良い。
加えて、本発明のフィルタ取付枠は、台所や飲食店などの厨房におけるレンジフードの通風路に限らず、各種の空調設備、あるいは粉塵や塵埃などの除去設備にも適用することが可能である。
【産業上の利用可能性】
【００３８】
本発明によれば、例えば、レンジフードの現場ごとの微細な寸法調整を正確、迅速、且つ容易に行えると共に、フィルタの取り付け作業の労力および時間を低減できるフィルタ取付枠を確実に提供できる。
【符号の説明】
【００３９】
１ａ〜１ｅ………………………………………………フィルタ取付枠
２ａ〜２ｃ………………………………………………フィルタ枠
４…………………………………………………………延出片
４ａ，１１ａ，２１ａ…………………………………表面
６，６ａ，６ｂ，１６，５６…………………………底広凹溝
７ｂ,８ｂ,１２,１２ａ,１８,１８ａ,５２,５８…先広凸条
１０ａ〜１０ｃ，３０ａ，３０ｂ……………………嵌合枠
１４，１５，１９………………………………………凹部
２０………………………………………………………厚み調整枠
２３………………………………………………………凹溝
２５，２７………………………………………………脚片
４０ａ，４０ｂ，５０ａ，５０ｂ……………………固定枠
６４………………………………………………………路壁面
Ｆ…………………………………………………………フィルタ
【図１】
2015131269.tif 000003
【図２】
2015131269.tif 000004
【図３】
2015131269.tif 000005
【図４】
2015131269.tif 000006
【図５】
2015131269.tif 000007
【図６】
2015131269.tif 000008
【図７】
2015131269.tif 000009
【図８】
2015131269.tif 000010
【図９】
2015131269.tif 000011
【図１０】
2015131269.tif 000012
【図１１】
2015131269.tif 000013
【図１２】
2015131269.tif 000014
【図１３】
2015131269.tif 000015
【図１４】
2015131269.tif 000016
【図１５】
2015131269.tif 000017